(57)【要約】      （修正有）【課題】水槽内でクラゲを観賞用として容易に飼育することを可能にするクラゲ観賞効果用具及び水槽を提供する。【解決手段】クラゲ観賞効果用具１は、底部プレート７に置かれた状態で、周辺部から中央に近づくに従って底部プレート７に近づくように傾斜する面を備えた傾斜部材を有している。傾斜部材は、例えば、略正四角錐形状を有している。傾斜部材には、水が通過可能な多数の第１の貫通穴が略均一の間隔で形成されている。傾斜部材の中央あるいは中央付近には、第１の貫通穴より面積が大きい第２の貫通穴が形成されている。第２の貫通穴がポンプ９の噴射口用穴２３に連結される。【選択図】図１
0003194177.tif 000002
【実用新案登録請求の範囲】
【請求項１】
水槽の底部に置かれるクラゲ観賞効果用具であって、
前記底部に置かれた状態で、周辺部から中央に近づくに従って前記底部に近づくように傾斜する面を備えた傾斜部材と、
前記面に水を通過可能に形成された複数の第１の貫通穴と、
前記面に水を通過可能に形成され、前記第１の貫通穴より面積が大きい第２の貫通穴と、
前記傾斜部材を前記底部上に支持するための支持部材と
を有するクラゲ観賞効果用具。
【請求項２】
前記傾斜部材は、略正四角錐形状を有している
請求項１に記載のクラゲ観賞効果用具。
【請求項３】
前記第２の貫通穴は、前記面の前記中央あるいは中央付近に形成されており、
水槽内の前記鑑賞効果用具の下方から水を吸引するポンプの吸引口に前記第２の貫通穴が対向して位置し、水槽内の前記鑑賞効果用具の下方から水面に向けて水を噴射するポンプの噴射口に一部の前記第２の貫通穴が対向して位置する姿勢で、前記水槽内に設置される
請求項１に記載のクラゲ観賞効果用具。
【請求項４】
クラゲ観賞用の水槽であって、
クラゲを収容する収容スペースと、
前記収容スペースの底部に位置する底部プレートと、
前記底部プレートに置かれるクラゲ観賞効果用具と
を有し、
前記クラゲ観賞効果用具は、
前記底部プレートに置かれた状態で、周辺部から中央に近づくに従って前記底部プレートに近づくように傾斜する面を備えた傾斜部材と、
前記面に水を通過可能に形成された複数の第１の貫通穴と、
前記面の前記中央あるいは中央付近に形成され、前記第１の貫通穴より面積が大きい第２の貫通穴と、
前記傾斜部材を前記底部プレート上に支持するための支持部材と
を有し、
前記底部プレートには、前記収容スペース内の前記鑑賞効果用具の下方から水を吸引するポンプの吸引口と、前記収容スペース内の前記鑑賞効果用具の下方から水面に向けて水を噴射するポンプの噴射口とが形成されており、
前記クラゲ観賞効果用具は、前記吸引口に前記第２の貫通穴が対向して位置し、前記噴射口に一部の前記第２の貫通穴が対向して位置する姿勢で、前記底部プレート上に設置される
水槽。
【考案の詳細な説明】
【技術分野】
【０００１】
本考案は、水槽内のクラゲの観賞効果を高めるクラゲ観賞効果用具に関する。
【背景技術】
【０００２】
クラゲを観賞用として水槽で飼育したいという要請がある。
【考案の概要】
【考案が解決しようとする課題】
【０００３】
しかしながら、クラゲを飼育するには水槽内に水流を発生し、クラゲが壁、底、水面に擦れないようにする必要があり、家庭やオフィスに設置される通常の魚用の水槽では飼育が難しい。
【０００４】
本考案はかかる事情に鑑みてなされたものであり、その目的は、水槽内でクラゲを観賞用として容易に飼育することを可能にするクラゲ観賞効果用具及び水槽を提供することにある。
【課題を解決するための手段】
【０００５】
上述した従来技術の問題を解決し、上述した目的を達成するために、本考案のクラゲ観賞効果用具は、水槽の底部に置かれるクラゲ観賞効果用具であって、前記底部に置かれた状態で、周辺部から中央に近づくに従って前記底部に近づくように傾斜する面を備えた傾斜部材と、前記面に水を通過可能に形成された複数の第１の貫通穴と、前記面に水を通過可能に形成され、前記第１の貫通穴より面積が大きい第２の貫通穴と、前記傾斜部材を前記底部上に支持するための支持部材とを有する。
【０００６】
好適には、本考案のクラゲ観賞効果用具の前記傾斜部材は、略正四角錐形状を有している。
【０００７】
好適には、本考案のクラゲ観賞効果用具の前記第２の貫通穴は、前記面の前記中央あるいは中央付近に形成されており、水槽内の前記鑑賞効果用具の下方から水を吸引するポンプの吸引口に前記第２の貫通穴が対向して位置し、水槽内の前記鑑賞効果用具の下方から水面に向けて水を噴射するポンプの噴射口に一部の前記第２の貫通穴が対向して位置する姿勢で、前記水槽内に設置される。
【０００８】
本考案の水槽は、クラゲ観賞用の水槽であって、クラゲを収容する収容スペースと、前記収容スペースの底部に位置する底部プレートと、前記底部プレートに置かれるクラゲ観賞効果用具とを有し、前記クラゲ観賞効果用具は、前記底部プレートに置かれた状態で、周辺部から中央に近づくに従って前記底部プレートに近づくように傾斜する面を備えた傾斜部材と、前記面に水を通過可能に形成された複数の第１の貫通穴と、前記面の前記中央あるいは中央付近に形成され、前記第１の貫通穴より面積が大きい第２の貫通穴と、前記傾斜部材を前記底部プレート上に支持するための支持部材とを有し、前記底部プレートには、前記収容スペース内の前記鑑賞効果用具の下方から水を吸引するポンプの吸引口と、前記収容スペース内の前記鑑賞効果用具の下方から水面に向けて水を噴射するポンプの噴射口とが形成されており、前記クラゲ観賞効果用具は、前記吸引口に前記第２の貫通穴が対向して位置し、前記噴射口に一部の前記第２の貫通穴が対向して位置する姿勢で、前記底部プレート上に設置される。
【０００９】
本考案の水槽では、ポンプが稼働すると、水槽内の水がポンプの吸引口に吸引され、ポンプの噴射口から水槽内に水が噴射される。
このとき、水槽内の中央付近において、ポンプの噴射口からの水がクラゲ観賞効果用具の第２の貫通穴を通って水槽の水面に向けて噴射され、水槽内の壁面付近において、水面から底部に向けて水流が生じ、水がクラゲ観賞効果用具の第１の貫通穴を通過してポンプの吸引口に吸引される。
これにより、水槽内に上下方向の水の流れが生じる。当該水の流れに応じて、クラゲは、水槽内の中央において水面に向けて上昇し、水槽内の壁面付近において水面から底部に向けて下降し、クラゲ観賞効果用具の傾斜部材に当たり、その傾斜に沿って第２の貫通穴に向けて移動し、ポンプの噴射口からの水によって水面に向けて上昇するという動作を繰り返す。
【００１０】
以上説明したように、本考案のクラゲ観賞効果用具及び水槽によれば、簡単な構成で、水槽３内にクラゲを飼育するのに必要な水流を発生することができる。そのため、家庭やオフィス等に設置された水槽内でクラゲを容易に飼育することができる。
【考案の効果】
【００１１】
本考案によれば、水槽内でクラゲを観賞用として容易に飼育することを可能にするクラゲ観賞効果用具を提供することができる。
【図面の簡単な説明】
【００１２】
【図１】図１は、本考案の実施形態に係るクラゲ観賞効果用具を水槽内に設置した状態を説明するための外観図である。
【図２】図２は、図１に示す底部プレート付近を拡大した外観図である。
【図３】図３は、図１に示すクラゲ観賞効果用具の平面図である。
【図４】図４は、図１に示すクラゲ観賞効果用具の底面図である。
【図５】図５は、図１に示すクラゲ観賞効果用具の側面図である。
【考案を実施するための形態】
【００１３】
以下、本考案の実施形態に係るクラゲ観賞効果用具について説明する。
図１は、本考案の実施形態に係るクラゲ観賞効果用具１を水槽３内に設置した状態を説明するための外観図である。図２は、図１に示す底部プレート５付近を拡大した外観図である。
【００１４】
図１に示すように、水槽３の収容スペース５は、中空の直方体形状をしており、開口部５ａと反対側に底部プレート７が設けられている。収容スペース５内に、クラゲ３０が収容され、飼育される。
底部プレート５の上には、クラゲ観賞効果用具１が置かれている。
また、底部プレート７の下方にはポンプ９が設けられている。
【００１５】
底部プレート７の中央部には、ポンプ９の噴射口と連結する噴射口用穴２３が形成されている。
また、底部プレート７には、ポンプ９の吸引口と連結する吸引口用穴２１が形成されている。
吸引口用穴２１及び噴射口用穴２３の内径は、例えば、７〜１２ｍｍが好ましい。
【００１６】
図３は図１に示すクラゲ観賞効果用具１の平面図、図４はクラゲ観賞効果用具１の底面図、図５はクラゲ観賞効果用具１の側面図である。
図１〜図５に示すように、クラゲ観賞効果用具１は、底部プレート７に置かれた状態で、周辺部から中央に近づくに従って底部プレート７に近づくように傾斜する面を備えた傾斜部材４１を有している。傾斜部材４１は、例えば、略正四角錐形状を有している。
【００１７】
傾斜部材４１には、水が通過可能な多数の第１の貫通穴４３が略均一の間隔で形成されている。
傾斜部材４１の中央あるいは中央付近には、第１の貫通穴４３より面積が大きい第２の貫通穴４５が形成されている。第２の貫通穴４５の直径は、例えば、第１の貫通穴４３の直径の３〜８倍である。
【００１８】
また、傾斜部材４１の底面側には、傾斜部材４１を底部プレート５上に支持するための４つのプレート状の支持部材５１が等間隔に設けられている。
また、底部プレート７のポンプ９側には、水槽３内に光を照射するライトを取り付け可能な取付け部（フランジ）が設けられている。
【００１９】
クラゲ観賞効果用具１は、底部プレート７上に取り外し可能に置かれ、図１及び図２に示すように、クラゲ観賞効果用具１を底部プレート７上に置いた状態で、第２の貫通穴４５が噴射口用穴２３に連結されている。また、支持部材５１が底部プレート７上に当接する。
【００２０】
ポンプ９が稼働すると、水槽３内の水が吸引口用穴２１に吸引され、噴射口用穴２３から水槽３内に水が噴射される。
このとき、水槽３内の中央付近において、噴射口用穴２３からの水がクラゲ観賞効果用具１の第２の貫通穴４５を通って水槽３の水面に向けて噴射され、水槽３内の壁面付近において、水面から底部プレート７に向けて水流が生じ、水がクラゲ観賞効果用具１の第１の貫通穴４３を通過して吸引口用穴２１に吸引される。
これにより、水槽３内に図１に示す矢印に示す向きに水の流れが生じる。
【００２１】
当該水の流れに応じて、クラゲは、水槽３内の中央において水面に向けて上昇し、水槽３内の壁面付近において水面から底部プレート７に向けて下降し、クラゲ観賞効果用具１の傾斜部材４１に当たり、その傾斜に沿って第２の貫通穴４５に向けて移動し、噴射口用穴２３からの水によって水面に向けて上昇するという動作を繰り返す。
【００２２】
以上説明したように、クラゲ観賞効果用具１及び水槽３によれば、簡単な構成で、水槽３内にクラゲを飼育するのに必要な水流を発生することができる。そのため、家庭やオフィス等に設置された水槽内でクラゲを容易に飼育することができる。
【００２３】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２４】
例えば、上述した実施形態では、傾斜部材４１が略正四角錐形状である場合を例示したが、傾斜部材４１は周辺部から中央に近づくに従って底部プレート７に近づくように傾斜する面を備えた形状であれば特に限定されず、略円錐形状でもよい。
【００２５】
また、上述した実施形態では、第２の貫通穴４５を傾斜部材４１の中央あるいは中央付近に形成した場合を例示したが、傾斜部材４１上の他の位置に形成してもよい。
また、上述した実施形態では、傾斜部材４１の全面に第１の貫通穴４３を形成した場合を例示したが、一部にのみ形成してもよい。
【００２６】
また、上述した実施形態では、水槽３の形状として直方体を例示したが円柱等、その他の形状でもよい。
【産業上の利用可能性】
【００２７】
本考案は、クラゲ飼育用のクラゲ観賞効果用具及び水槽に関する。
【符号の説明】
【００２８】
１…クラゲ観賞効果用具
３…水槽
５…収容スペース
７…底部プレート
９…ポンプ
２１…吸引口用穴
２３…噴射口用穴
４１…傾斜部材
４３…第１の貫通穴
４５…第２の貫通穴
５１…支持部材
【図１】
0003194177.tif 000003
【図２】
0003194177.tif 000004
【図３】
0003194177.tif 000005
【図４】
0003194177.tif 000006
【図５】
0003194177.tif 000007